(57)【要約】      （修正有）【課題】ユーザが生理的指標の有意な変動が発生しやすい状況下にあることを注意喚起することを可能にする情報処理装置を提供する。【解決手段】注意喚起システム１０において、情報処理装置１１は、ユーザの生理的指標に関する測定データである生理的指標データと、ユーザの位置に関する測定データである位置データと、を含むユーザデータを取得する取得部１１１と、生理的指標データに基づいて、所定の条件を満たす生理的指標の変動が発生した時間を特定する時間特定部１１２と、位置データに基づいて、特定された時間にユーザが存在した位置を特定する位置特定部１１３と、特定された位置を含む局所領域を、生理的指標の変動の発生に関する注意喚起を行なうための注目領域として決定する注目領域決定部１１４と、を備える。【選択図】図１
2019117598.tif 000002
【特許請求の範囲】
【請求項１】
ユーザの生理的指標に関する測定データである生理的指標データと、前記ユーザの位置に関する測定データである位置データと、を含むユーザデータを取得する取得部と、
前記生理的指標データに基づいて、所定の条件を満たす前記生理的指標の変動が発生した時間を特定する時間特定部と、
前記位置データに基づいて、前記特定された時間に前記ユーザが存在した位置を特定する位置特定部と、
前記特定された位置を含む局所領域を、前記生理的指標の変動の発生に関する注意喚起を行なうための注目領域として決定する注目領域決定部と、
を備える情報処理装置。
【請求項２】
前記特定された時間に基づいて、前記注意喚起を行なうための時間範囲を決定する時間範囲決定部をさらに備え、
前記注目領域決定部は、前記注目領域を、前記決定された時間範囲に関連付ける、請求項１に記載の情報処理装置。
【請求項３】
前記ユーザデータは、前記ユーザの属性を表す属性情報をさらに含み、
前記注目領域決定部は、前記注目領域を、前記属性に基づいた属性グループに関連付ける、請求項１又は２に記載の情報処理装置。
【請求項４】
前記ユーザデータは、前記ユーザを識別するための識別情報をさらに含み、
前記注目領域決定部は、前記注目領域を、前記識別情報に関連付ける、請求項１乃至３のいずれか１項に記載の情報処理装置。
【請求項５】
前記注目領域を表す注目領域情報を複数のユーザ端末に送信する送信部をさらに備え、
前記取得部は、前記複数のユーザ端末から複数のユーザに関する前記ユーザデータを取得する、請求項１乃至４のいずれか１項に記載の情報処理装置。
【請求項６】
前記生理的指標は、血圧値であり、前記条件は、前記血圧値が所定期間内に所定値以上上昇するという条件を含み、前記時間特定部は、当該条件を満たす血圧値の変動が発生した時間を特定する、請求項１乃至５のいずれか１項に記載の情報処理装置。
【請求項７】
情報処理装置と、前記情報処理装置と通信可能なユーザ端末と、を備える注意喚起システムであって、
前記情報処理装置は、
ユーザの生理的指標に関する測定データである生理的指標データと、前記ユーザの位置に関する測定データである位置データと、を含むユーザデータを取得する取得部と、
前記生理的指標データに基づいて、所定の条件を満たす前記生理的指標の変動が発生した時間を特定する時間特定部と、
前記位置データに基づいて、前記特定された時間に前記ユーザが存在した位置を特定する位置特定部と、
前記特定された位置を含む局所領域を、前記生理的指標の変動の発生に関する注意喚起を行なうための注目領域として決定する注目領域決定部と、
前記注目領域を表す注目領域情報を前記ユーザ端末に送信する送信部と、
を備え、
前記ユーザ端末は、
前記情報処理装置から前記注目領域情報を受信する受信部と、
前記ユーザ端末の位置を検出する検出部と、
前記検出された位置が前記受信された注目領域情報によって表される前記注目領域内にあるか否かを判定する判定部と、
前記検出された位置が前記注目領域内にあると判定されたことに応答して、前記注意喚起のための通知を出力する通知部と、
を備える、注意喚起システム。
【請求項８】
コンピュータによって実行される情報処理方法であって、
ユーザの生理的指標に関する測定データである生理的指標データと、前記ユーザの位置に関する測定データである位置データと、を含むユーザデータを取得する過程と、
前記生理的指標データに基づいて、所定の条件を満たす前記生理的指標の変動が発生した時間を特定する過程と、
前記位置データに基づいて、前記特定された時間に前記ユーザが存在した位置を特定する過程と、
前記特定された位置を含む局所領域を、前記生理的指標の変動の発生に関する注意喚起を行なうための注目領域として決定する過程と、
を備える情報処理方法。
【請求項９】
請求項１乃至６のいずれか１項に記載の情報処理装置が備える各部としてコンピュータを機能させるためのプログラム。
【発明の詳細な説明】
【技術分野】
【０００１】
本発明は、生体情報に関する注意喚起を行なう注意喚起システムに関する。
【背景技術】
【０００２】
血圧値又は脈拍数などのユーザの生理的指標をモニタし、生理的指標の有意な変動に応答して警告を発する装置が知られている。例えば、特許文献１には、ユーザの生体情報を取得し、生体情報に異常が発生した（例えば脈拍数がゼロになった）ことを検出したときに、ユーザに異常が発生したことを通知する装着型の電子機器が開示されている。
【先行技術文献】
【特許文献】
【０００３】
【特許文献１】特開２０１６−１５４５７８号公報
【発明の概要】
【発明が解決しようとする課題】
【０００４】
特許文献１に開示された電子機器は、生体情報に異常が発生したことを検出することはできるが、生体情報に異常が発生する可能性があることを予測し通知することはできない。
【０００５】
本発明は、上記の事情に着目してなされたものであり、その目的は、ユーザが生理的指標の有意な変動が発生しやすい状況下にあることをユーザに注意喚起できる注意喚起システム、並びに、ユーザが生理的指標の有意な変動が発生しやすい状況下にあることをユーザに注意喚起することを可能にする情報処理装置、情報処理方法、及びプログラムを提供することである。
【課題を解決するための手段】
【０００６】
本発明は、上記課題を解決するために、以下の態様を採用する。
【０００７】
本発明の一態様に係る情報処理装置は、ユーザの生理的指標に関する測定データである生理的指標データと前記ユーザの位置に関する測定データである位置データとを含むユーザデータを取得する取得部と、前記生理的指標データに基づいて、所定の条件を満たす前記生理的指標の変動が発生した時間を特定する時間特定部と、前記位置データに基づいて、前記特定された時間に前記ユーザが存在した位置を特定する位置特定部と、前記特定された位置を含む局所領域を、前記生理的指標の変動の発生に関する注意喚起を行なうための注目領域として決定する注目領域決定部と、を備える。
【０００８】
本明細書では、生理的指標とは、人の生体情報に関する指標を指す。生体情報は、人の身体から得ることができる情報であり、例えば、血圧、脈波、脈拍、心拍などである。生理的指標は、例えば、血圧値、脈拍数、心拍数、ストレス値などである。ストレス値は、ユーザが精神的なストレスを受けている度合いを表し、例えば、脈拍数又は心拍数に基づいて算出される。
【０００９】
対象ユーザが対象ユーザ自身の生理的指標が過去に有意に変動した場所を再訪した場合には、生理的指標が再び有意に変動する可能性がある。同様に、対象ユーザが他のユーザの生理的指標が有意に変動した場所を訪れた場合にも、対象ユーザの生理的指標が有意に変動する可能性がある。したがって、そのような場所は、生理的指標の有意な変動が発生しやすい状況とみなすことができる。
【００１０】
上記の構成では、ユーザ（対象ユーザ又は他のユーザ）の生理的指標が有意に変動したときにユーザがいた位置が特定され、特定された位置を含む局所領域が生理的指標の有意な変動の発生に関する注意喚起を行なうための注目領域として決定される。例えば対象ユーザが携帯するユーザ端末に注目領域が設定されると、ユーザ端末が、対象ユーザが注目領域内に存在するときに、対象ユーザが生理的指標の有意な変動が発生しやすい状況下にあることを対象ユーザに注意喚起することが可能となる。
【００１１】
上記態様に係る情報処理装置は、前記特定された時間に基づいて、前記通知を行なうための時間範囲を決定する時間範囲決定部をさらに備えてもよく、前記注目領域決定部は、前記注目領域を、前記決定された時間範囲に関連付ける。
【００１２】
上記の構成によれば、対象ユーザが関連付けられた時間範囲内の時刻に注目領域内に入ったときに通知を行なうことが可能となる。この結果、生理的指標の有意な変動が注目領域において特定の時間帯に発生する傾向がある場合において、対象ユーザに不要な注意喚起をすることを防止することができる。
【００１３】
上記態様に係る情報処理装置において、前記ユーザデータは、前記ユーザの属性を表す属性情報をさらに含んでもよく、前記注目領域決定部は、前記注目領域を、前記属性に基づいた属性グループに関連付ける。
【００１４】
上記の構成によれば、対象ユーザと同じ属性グループ（例えば年代及び／又は性別）に属するユーザに関するユーザデータに基づいて決定された注目領域を対象として、注意喚起を対象ユーザに通知することが可能となる。対象ユーザと同じ属性グループに属するユーザに関連する注目領域では、他の属性グループに属するユーザに関連する注目領域と比較して、対象ユーザの生理的指標の有意な変動が発生する可能性が高い。したがって、生理的指標の有意な変動が発生する可能性がより高い場合に、対象ユーザに注意喚起することができる。
【００１５】
上記態様に係る情報処理装置において、前記ユーザデータは、前記ユーザを識別するための識別情報をさらに含んでもよく、前記注目領域決定部は、前記注目領域を、前記識別情報に関連付ける。
【００１６】
上記の構成によれば、注目領域が、対象ユーザに関するユーザデータに基づいて決定されたものであるか、他のユーザに関するユーザデータに基づいて決定されたものであるのかを識別することが可能となる。対象ユーザに関連する注目領域では、他のユーザに関連する注目領域と比較して、対象ユーザの生理的指標の有意な変動が発生する可能性が高い。対象ユーザが対象ユーザ自身に関連する注目領域内に入ったときには、より明確な注意喚起をするなど、対象ユーザに関連する注目領域と他のユーザに関連する注目領域とで注意喚起方法を変えることが可能となる。
【００１７】
上記態様に係る情報処理装置は、前記注目領域を表す注目領域情報を複数のユーザ端末に送信する送信部をさらに備えてもよく、前記取得部は、前記複数のユーザ端末から複数のユーザに関する前記ユーザデータを取得してもよい。
【００１８】
上記の構成では、対象ユーザに関するユーザデータだけでなく、他のユーザに関するユーザデータに基づいて注目領域が決定される。これにより、対象ユーザが初めて訪れる場所などにおいても注意喚起することが可能となる。
【００１９】
上記態様に係る情報処理装置において、前記生理的指標は、血圧値であってもよく、前記条件は、前記血圧値が所定期間内に所定値以上上昇するという条件を含んでもよく、前記時間特定部は、当該条件を満たす血圧値の変動が発生した時間を特定する。
【００２０】
上記の構成によれば、対象ユーザが急激な血圧変動が発生しやすい状況下にあることを対象ユーザに注意喚起することが可能となる。
【発明の効果】
【００２１】
本発明によれば、ユーザが生理的指標の有意な変動が発生しやすい状況下にあることをユーザに注意喚起できる注意喚起システム、並びに、ユーザが生理的指標の有意な変動が発生しやすい状況下にあることをユーザに注意喚起することを可能にする情報処理装置、情報処理方法、及びプログラムを提供することができる。
【図面の簡単な説明】
【００２２】
【図１】実施形態に係る注意喚起システムを例示するブロック図。
【図２】実施形態に係る注意喚起システムのシステム構成を例示する図。
【図３】図２に示した生体情報処理装置のハードウェア構成の一例を例示するブロック図。
【図４】図２に示した携帯端末のハードウェア構成の一例を例示するブロック図。
【図５】図２に示した血圧計のハードウェア構成の一例を例示するブロック図。
【図６】図２に示した生体情報処理装置のソフトウェア構成の一例を例示するブロック図。
【図７】実施形態に係る急激な血圧変動を検出する方法例を説明する図。
【図８】実施形態に係る注目領域が設定された地図を例示する図。
【図９】図２に示した携帯端末のソフトウェア構成の一例を例示するブロック図。
【図１０】図２に示した血圧計のソフトウェア構成の一例を例示するブロック図。
【図１１】実施形態に係る注目領域決定の手順を例示するフローチャート。
【図１２】実施形態に係る注意喚起の手順を例示するフローチャート。
【発明を実施するための形態】
【００２３】
以下、図面を参照しながら本発明の実施形態を説明する。
【００２４】
［適用例］
図１を参照して、本発明の一適用例について説明する。図１は、本発明の一実施形態に係る注意喚起システム１０を例示する。注意喚起システム１０は、情報処理装置１１及びユーザ端末１２を備える。情報処理装置１１はユーザ端末１２と通信可能である。
【００２５】
情報処理装置１１は、生理的指標の有意な変動の発生に関する注意喚起を行なうための地理的領域である注目領域を決定する。生理的指標は、例えば、血圧値、脈拍数、心拍数、ストレス値などである。生理的指標の有意な変動は、ユーザの健康に影響を及ぼす可能性がある生理的指標の変動を指す。以下では、生理的指標の有意な変動をイベントと称することもある。イベントの例には、血圧値が急激に上昇する現象や、血圧値が急激に下降する現象、ストレス値の急激な上昇などが含まれる。急激な血圧上昇は繰り返し生じることで脳血管疾患又は心血管疾患の発症を促進することが知られている。
【００２６】
情報処理装置１１は、ユーザデータ取得部１１１、時間特定部１１２、位置特定部１１３、注目領域決定部１１４、及び送信部１１５を備える。
【００２７】
ユーザデータ取得部１１１は、１又は複数のユーザに関するユーザデータを取得する。各ユーザに関するユーザデータは、ユーザの生理的指標に関する測定データである生理的指標データと、ユーザの位置に関する測定データである位置データと、を含む。生理的指標データは、ユーザの生理的指標の推移（時間変化）を表すデータであり、時間情報に対応付けられた生理的指標の測定結果を含む。位置データは、ユーザの位置の推移を表すデータであり、時間情報に対応付けられた位置の測定結果を含む。
【００２８】
時間特定部１１２は、生理的指標データに基づいて、所定の条件を満たす生理的指標の変動が発生した時間を特定する。所定の条件は、イベントの発生を検出するための条件である。条件については後述する。
【００２９】
位置特定部１１３は、位置データに基づいて、時間特定部１１２によって特定された時間にユーザが存在した位置を特定する。位置特定部１１３によって特定された位置は、イベントが実際に発生した位置を表す。
【００３０】
注目領域決定部１１４は、位置特定部１１３によって特定された位置を含む局所領域を注目領域として決定する。例えば、注目領域決定部１１４は、位置特定部１１３によって特定された位置を中心とする一定半径の円内の領域を注目領域として決定する。
【００３１】
送信部１１５は、注目領域決定部１１４によって決定された注目領域を表す注目領域情報をユーザ端末１２に送信する。
【００３２】
ユーザ端末１２は、対象ユーザ（ユーザ端末１２を携帯するユーザ）の位置をモニタし、対象ユーザが注目領域内に存在するときに、対象ユーザがイベントの発生しやすい状況下にあることを対象ユーザに注意喚起する。対象ユーザは、上記の１又は複数のユーザのうちの１人であってもよく、上記の１又は複数のユーザとは異なっていてもよい。ユーザ端末１２は、受信部１２１、位置検出部１２２、判定部１２３、及び通知部１２４を備える。
【００３３】
受信部１２１は、情報処理装置１１から注目領域情報を受信する。位置検出部１２２は、ユーザ端末１２の位置、すなわち、対象ユーザの位置を検出する。判定部１２３は、位置検出部１２２によって検出された位置が受信部１２１によって受信された注目領域情報により示される注目領域内にあるか否かを判定する。通知部１２４は、検出された位置が注目領域内にあると判定部１２３によって判定されたことに応答して、注意喚起のための通知を出力する。例えば、対象ユーザが移動して注目領域内に入ったときに、判定部１２３が、対象ユーザが注目領域内に入ったことを表す信号を通知部１２４に与え、通知部１２４が、この信号を受けて、注意喚起のためのメッセージを表示装置に表示する。
【００３４】
上記構成を有する注意喚起システム１０では、イベントが実際に発生した位置が特定され、特定された位置を含む局所領域がイベントの発生に関する注意喚起を行なうための注目領域として決定される。そして、対象ユーザが注目領域内に入ったことが検出されると、対象ユーザに注意喚起が行なわれる。このようにして、対象ユーザがイベントの発生しやすい状況下にあるときに、ユーザに注意喚起することができる。対象ユーザは、注意喚起を受けて、イベントの発生を防止する行動（例えば深呼吸など）を取ることが可能になる。
【００３５】
次に、上述した実施形態に係る注意喚起システムをより具体的に説明する。
【００３６】
［構成例］
（システム構成）
図２は、本発明の一実施形態に係る注意喚起システム２０の構成例を例示する。注意喚起システム２０は、情報処理装置３０と、１又は複数のユーザ端末ＵＴと、を備える。情報処理装置３０及びユーザ端末ＵＴはインターネットなどのネットワークＮＷに接続され、それにより、情報処理装置３０はユーザ端末ＵＴと通信することができる。情報処理装置３０は、図１に示した情報処理装置１１と同様の構成を有することができる。
【００３７】
図２の例では、３つのユーザ端末ＵＴ（具体的には、ユーザ端末ＵＴ−１、ＵＴ−２、ＵＴ−３）が示されている。典型的には、ユーザ端末ＵＴ−１、ＵＴ−２、ＵＴ−３はそれぞれ異なるユーザに使用される。ユーザ端末ＵＴ−１は、携帯端末４０及び血圧計５０を含む。携帯端末４０は、ネットワークＮＷを介して情報処理装置３０と通信し、血圧計５０と直接に通信する。携帯端末４０は、図１に示したユーザ端末１２と同様の構成を有することができる。ユーザ端末ＵＴ−２は、携帯端末６０及び血圧計７０を含む。携帯端末６０は、ネットワークＮＷを介して血圧計７０及び情報処理装置３０と通信する。携帯端末６０は、図１に示したユーザ端末１２と同様の構成を有することができる。ユーザ端末ＵＴ−３は、血圧計８０を含む。血圧計８０は、ネットワークＮＷを介して情報処理装置３０と通信する。血圧計８０は、図１に示したユーザ端末１２と同様の構成を有することができる。以下では、主としてユーザ端末ＵＴ−１について説明を行なう。
【００３８】
血圧計５０は、ユーザに装着されるウェアラブルデバイスである。血圧計５０は、ユーザの血圧値を測定し、ユーザの血圧値に関する測定データである血圧値データを生成する。血圧計５０は、例えば、一心拍ごとの血圧値を測定する。血圧値は、収縮期血圧（ＳＢＰ）と拡張期血圧（ＤＢＰ）との少なくとも一方を含むが、これに限定されない。血圧値データは、ユーザの血圧値の推移を表すデータであり、時間情報に対応付けられた測定血圧値を含む。血圧計５０は、ユーザの生理的指標を測定するウェアラブル型の生体情報測定装置の一例である。生体情報測定装置は、ユーザのストレス値を測定するウェアラブル型のストレス測定器であってもよい。ストレス測定器は、例えば、心拍数又は脈拍数を測定し、測定結果に基づいてストレス値を算出する。
【００３９】
さらに、血圧計５０は、血圧計５０自身の位置、すなわち、血圧計５０を装着しているユーザの位置を測定し、ユーザの位置に関する測定データである位置データを生成する。位置データは、ユーザの位置の推移を表すデータであり、時間情報に対応付けられた測定位置を含む。血圧計５０は、生理的指標データ及び位置データを携帯端末４０に送信する。
【００４０】
携帯端末４０は、例えば、スマートフォン、タブレットＰＣ、携帯電話などの携帯機器であり得る。携帯端末４０は、血圧計５０から生理的指標データ及び位置データを受信し、生理的指標データ及び位置データを管理する。携帯端末４０は、ネットワークＮＷを通じて情報処理装置３０に、生理的指標データと位置データとを含むユーザデータを送信する。携帯端末４０は、生理的指標データと位置データとを別々に情報処理装置３０に送信してもよい。
【００４１】
情報処理装置３０は、例えば、サーバなどのコンピュータであり得る。情報処理装置３０は、ユーザ端末ＵＴ（具体的には、ユーザ端末ＵＴ−１、ＵＴ−２、ＵＴ−３）からユーザデータを収集する。情報処理装置３０は、収集したユーザデータに基づいて、イベントの発生に関する注意喚起を行なうための注目領域を決定する。情報処理装置３０は、注目領域を表す注目領域情報をユーザ端末ＵＴに送信する。
【００４２】
携帯端末４０は、情報処理装置３０から注目領域情報を受信する。携帯端末４０は、対象ユーザの位置をモニタし、対象ユーザが注目領域情報によって示される注目領域内に存在するときに、対象ユーザがイベントの発生しやすい状況下にあることを対象ユーザに通知する。
【００４３】
（ハードウェア構成）
＜情報処理装置＞
図３を参照して、本実施形態に係る情報処理装置３０のハードウェア構成の一例について説明する。図３は、情報処理装置３０のハードウェア構成の一例を例示する。図２の例では、情報処理装置３０は、制御部３０１、記憶部３０２、ドライブ３０３、通信インタフェース３０４、及び外部インタフェース３０５を備える。
【００４４】
制御部３０１は、ＣＰＵ（Central Processing Unit）、ＲＡＭ（Random Access Memory）、ＲＯＭ（Read Only Memory）などを含み、情報処理に応じて各構成要素の制御を行う。記憶部３０２は、例えば、ハードディスクドライブ（ＨＤＤ）、半導体メモリ（例えばソリッドステートドライブ（ＳＳＤ））などの補助記憶装置である。記憶部３０２は、制御部３０１により実行される注目領域決定プログラム、ユーザ端末ＵＴから受信したユーザデータなどを記憶する。記憶部３０２が備える記憶媒体は、コンピュータや機械などが記録されたプログラムなどの情報を読み取り可能なように、当該プログラムなどの情報を、電気的、磁気的、光学的、機械的又は化学的作用によって蓄積する媒体である。
【００４５】
ドライブ３０３は、記憶媒体に記憶されたプログラムを読み込むための装置である。ドライブの種類は、記憶媒体の種類に応じて適宜選択されてよい。ドライブ３０３は、例えば、ＣＤ（Compact Disk）ドライブ、ＤＶＤ（Digital Versatile Disk）ドライブなどであり得る。記憶媒体は、ＣＤ、ＤＶＤなどのディスク型の記憶媒体に限定される訳ではなく、ディスク型以外であってもよい。ディスク型以外の記憶媒体として、例えば、フラッシュメモリなどの半導体メモリを挙げることができる。上記注目領域決定プログラムは、この記憶媒体に記憶されていてもよい。記憶媒体は、コンピュータや機械などが記録されたプログラムなどの情報を読み取り可能なように、当該プログラムなどの情報を、電気的、磁気的、光学的、機械的又は化学的作用によって蓄積する媒体である。情報処理装置３０は、この記憶媒体から、上記注目領域決定プログラムを取得してもよい。
【００４６】
通信インタフェース３０４は、ネットワークＮＷを介した通信を行うためのインタフェースである。通信インタフェース３０４は、典型的には、有線ＬＡＮ（Local Area Network）モジュールなどの有線通信モジュールを含む。なお、通信インタフェース３０４は、有線通信モジュールに代えて又は有線通信モジュールに追加して、無線通信モジュールを含んでもよい。情報処理装置３０は、通信インタフェース３０４を通じて外部装置（例えば図示しないサーバ）から上記注目領域決定プログラムを取得してもよい。
【００４７】
外部インタフェース３０５は、外部機器と接続するためのインタフェースであり、ＵＳＢ（Universal Serial Bus）ポートなどの各種端子を含む。外部機器は、例えば、キーボードなどの入力装置、ディスプレイなどの出力装置、ＵＳＢメモリなどの着脱式メモリなどを含む。
【００４８】
なお、情報処理装置３０の具体的なハードウェア構成に関して、実施形態に応じて、適宜、構成要素の省略、置換及び追加が可能である。例えば、制御部３０１は、複数のプロセッサを含んでいてもよい。情報処理装置３０は、複数台のコンピュータで構成されてもよい。また、情報処理装置３０として、提供されるサービス専用に設計された情報処理装置の他、汎用のデスクトップＰＣ（Personal Computer）などが用いられてもよい。
【００４９】
＜携帯端末＞
図４を参照して、本実施形態に係る携帯端末４０のハードウェア構成の一例について説明する。図４は、携帯端末４０のハードウェア構成の一例を例示する。図３の例では、携帯端末４０は、制御部４０１、記憶部４０２、入力装置４０３、出力装置４０４、通信インタフェース４０５、外部インタフェース４０６、ＧＰＳ受信機４０７、及び電池４０８を備える。
【００５０】
制御部４０１は、ＣＰＵ、ＲＡＭ、ＲＯＭなどを含み、情報処理に応じて各構成要素の制御を行う。記憶部４０２は、例えば、ＨＤＤ、ＳＳＤなどの補助記憶装置である。記憶部４０２は、制御部４０１により実行される注意喚起プログラム、情報処理装置３０から受信した注目領域情報、血圧計５０から受信した血圧計データ及び位置データなどを記憶する。記憶部４０２が備える記憶媒体は、コンピュータや機械などが記録されたプログラムなどの情報を読み取り可能なように、当該プログラムなどの情報を、電気的、磁気的、光学的、機械的又は化学的作用によって蓄積する媒体である。
【００５１】
入力装置４０３及び出力装置４０４は、例えば、タッチスクリーンにより実現される。タッチスクリーンに含まれる表示装置として、例えば、ＬＣＤ（Liquid Crystal Display）、ＯＬＥＤ（Organic Light Emitting Diode）ディスプレイなどを用いることができる。入力装置４０３は、プッシュ式ボタン、マイクロフォンなどをさらに含んでもよい。出力装置４０４は、スピーカなどをさらに含んでもよい。
【００５２】
通信インタフェース４０５は、外部装置と通信を行うためのインタフェースである。通信インタフェース４０５は、例えば、無線ＬＡＮモジュール及び近距離無線通信モジュールを含む。無線ＬＡＮモジュールは、例えば、ネットワークＮＷを介して情報処理装置３０と通信を行うために使用される。近距離無線通信モジュールは、血圧計５０と直接に通信するために使用される。近距離無線通信モジュールは、例えば、Ｂｌｏｏｔｏｏｔｈ（登録商標）モジュールである。
【００５３】
ＧＰＳ受信機４０７は、複数のＧＰＳ衛星からＧＰＳ信号を受信し、受信したＧＰＳ信号を制御部４０１に出力する。制御部４０１は、ＧＰＳ信号に基づいて、携帯端末４０の位置、すなわち、携帯端末４０を携帯しているユーザの位置を算出する。
【００５４】
電池４０８は、例えば充電式バッテリであり得る。電池４０８は、制御部４０１、記憶部４０２、入力装置４０３、出力装置４０４、通信インタフェース４０５、外部インタフェース４０６、及びＧＰＳ受信機４０７に電力を供給する。
【００５５】
なお、携帯端末４０の具体的なハードウェア構成に関して、実施形態に応じて、適宜、構成要素の省略、置換及び追加が可能である。例えば、制御部４０１は、複数のプロセッサを含んでいてもよい。また、携帯端末４０は、加速度センサ、気圧センサ、光センサなどの他のセンサをさらに備えていてもよい。
【００５６】
＜血圧計＞
図５を参照して、本実施形態に係る血圧計５０のハードウェア構成の一例について説明する。図５は、血圧計５０のハードウェア構成の一例を例示する。図５に例示される血圧計５０は、トノメトリ法により圧脈波を測定し、検出した圧脈波に基づいて血圧値を算出する。ここで、トノメトリ法とは、皮膚の上から動脈を適切な圧力で押圧して動脈に扁平部を形成し、動脈内部と外部とのバランスがとれた状態で圧力センサにより非侵襲的に圧脈波を計測する方法をいう。トノメトリ法では、一心拍ごとの血圧値を得ることができる。
【００５７】
図５の例では、血圧計５０は、制御部５０１、記憶部５０２、入力装置５０３、出力装置５０４、通信インタフェース５０５、センサ部５０６、押圧部５０７、ＧＰＳ受信機５０８、及び電池５０９を備える。
【００５８】
制御部５０１は、ＣＰＵ、ＲＡＭ、ＲＯＭなどを含み、情報処理に応じて各構成要素の制御を行う。記憶部５０２は、例えば、半導体メモリ（例えばフラッシュメモリ）などの補助記憶装置である。記憶部５０２は、制御部５０１によって実行される血圧測定プログラム、制御部５０１によって算出された血圧値を含む測定結果のデータなどを記憶する。
【００５９】
入力装置５０３は、ユーザが血圧計５０に対する指示を入力することを可能にする。入力装置５０３は、ユーザによる操作に応じた指示信号を制御部５０１に与える。入力装置５０３は、例えば、複数のプッシュ式ボタンを含む。出力装置５０４は、測定結果などの情報を表示する表示装置を含む。表示装置としては、例えば、ＬＣＤ、ＯＬＥＤディスプレイなどを用いることができる。入力装置５０３及び表示装置の組み合わせとして、タッチスクリーンが用いられてもよい。
【００６０】
通信インタフェース５０５は、外部装置と通信するためのインタフェースである。通信インタフェース５０５は、携帯端末４０と通信するために、Ｂｌｕｅｔｏｏｔｈ（登録商標）モジュールなどの近距離無線通信モジュールを含むが、これに限定されない。通信インタフェース５０５は、無線ＬＡＮモジュールなどの他のタイプの無線通信モジュールを含んでいてもよい。また、通信インタフェース５０５は、有線通信モジュールを含んでいてもよい。
【００６１】
センサ部５０６は、橈骨動脈が内部に存在する手首に接触するように配置される。センサ部５０６は、その主面（手首に接触する面）に圧力センサアレイを備え、圧力センサアレイは、一方向に配列された複数の（例えば４６個の）圧力センサを有する。圧力センサの配列方向は、血圧計５０がユーザに装着された状態において橈骨動脈が延在する方向と交差する方向である。各圧力センサは、圧力を検出し、検出した圧力を示す圧力信号を生成する。圧力センサとしては、例えば、ピエゾ抵抗式圧力センサを用いることができる。圧力信号は、増幅器で増幅され、アナログデジタル変換器でデジタル信号に変換された後に、制御部５０１に与えられる。サンプリング周波数は、例えば、１２５Ｈｚである。
【００６２】
押圧部５０７は、センサ部５０６を手首に対して押圧する。トノメトリ法では、最適な押圧条件下では圧脈波と血圧が等しくなる。押圧部５０７は、空気袋５０７Ａ、空気袋５０７Ａに空気を供給するポンプ５０７Ｂ、及び空気袋５０７Ａから空気を排気するための排気弁５０７Ｃを含む。制御部５０１による制御の下でポンプ５０７Ｂが空気袋５０７Ａの内圧を高めるように駆動されると、空気袋５０７Ａの膨張によりセンサ部５０６が手首に押し当てられる。なお、押圧部５０７は、空気袋を用いた構造に限定されず、センサ部５０６を手首に押し当てる力を調整できれば、いかなる構造により実現されてもよい。
【００６３】
血圧計５０では、押圧部５０７によりセンサ部５０６が測定に適した配置に保持された状態で、血圧測定が実行される。制御部５０１は、例えば、圧力センサの中から選択した１つの圧力センサから出力された圧力信号に基づいて、血圧値を算出する。制御部５０１は、算出した血圧値を、時間情報を含む付加情報と紐付けて記憶部５０２に記憶させる。
【００６４】
ＧＰＳ受信機５０８は、複数のＧＰＳ衛星からＧＰＳ信号を受信し、受信したＧＰＳ信号を制御部５０１に出力する。制御部５０１は、ＧＰＳ信号に基づいて、血圧計５０の位置、すなわち、血圧計５０を装着している対象ユーザの位置を算出する。
【００６５】
電池５０９は、例えば充電式バッテリであり得る。電池５０９は、制御部５０１、記憶部５０２、入力装置５０３、出力装置５０４、通信インタフェース５０５、センサ部５０６、押圧部５０７、及びＧＰＳ受信機５０８に電力を供給する。
【００６６】
なお、血圧計５０の具体的なハードウェア構成に関して、実施形態に応じて、適宜、構成要素の省略、置換及び追加が可能である。例えば、制御部５０１は、複数のプロセッサを含んでいてもよい。また、血圧計５０は、加速度センサなどの他のセンサをさらに備えていてもよい。また、血圧計５０は、マイクロＵＳＢポートなどの端子をさらに備えてもよい。この場合、血圧計５０は、ＵＳＢケーブルなどのケーブルにより外部装置（例えば携帯端末４０）に接続することが可能になる。
【００６７】
また、血圧計５０は、トノメトリ法に基づいた血圧計に限定されない。血圧計として、例えば、動脈を伝播する脈波の伝播時間である脈波伝播時間（ＰＴＴ；Pulse Transit Time）を検出し、検出した脈波伝播時間に基づいて血圧値（具体的にはＳＢＰ）を推定する血圧計、容積脈波を光学的に測定し、測定結果から血圧値を算出する血圧計などが用いられてもよい。
【００６８】
（ソフトウェア構成）
＜情報処理装置＞
図６を参照して、本実施形態に係る情報処理装置３０のソフトウェア構成の一例を説明する。図６は、本実施形態に係る情報処理装置３０のソフトウェア構成の一例を例示する。図６の例では、情報処理装置３０は、ユーザデータ取得部３５１、時間特定部３５２、位置特定部３５３、注目領域決定部３５４、時間範囲決定部３５５、送信部３５６、ユーザデータ記憶部３５７、及び注目領域情報記憶部３５８を備える。ユーザデータ取得部３５１、時間特定部３５２、位置特定部３５３、注目領域決定部３５４、時間範囲決定部３５５、及び送信部３５６は、情報処理装置３０の制御部３０１が記憶部３０２に記憶された注目領域決定プログラムを実行することによって下記の処理を実行する。制御部３０１が注目領域決定プログラムを実行する際は、制御部３０１は、注目領域決定プログラムをＲＡＭに展開する。そして、制御部３０１は、ＲＡＭに展開された注目領域決定プログラムをＣＰＵにより解釈及び実行して、各構成要素を制御する。ユーザデータ記憶部３５７及び注目領域情報記憶部３５８は、記憶部３０２に設けられる。
【００６９】
ユーザデータ取得部３５１は、通信インタフェース３０４を通じて複数のユーザ端末ＵＴから、複数のユーザに関するユーザデータを取得し、取得したユーザデータをユーザデータ記憶部３５７に記憶させる。ユーザデータは、血圧値データ及び位置データを含む。
【００７０】
時間特定部３５２は、ユーザデータ記憶部３５７から血圧値データを読み出し、読み出した血圧値データに基づいて、所定の条件を満たす血圧値の変動が発生した時間を特定する。時間特定部３５２は、例えば、血圧値データに対して平滑化を行う。例えば、時間特定部３５２は、図７に示すような急激な血圧上昇が発生した時間を特定する。急激な血圧上昇は、典型的には、５〜２０秒程度にわたる。この種の血圧上昇は、例えば、暖かい場所から寒い場所へ移動した際に発生することがある。この例では、上述した条件は、急激な血圧上昇の発生を検出するために規定された検出条件である。一例として、検出条件は、血圧値が所定期間（例えば２０秒）内に所定値（例えば１０ｍｍＨｇ）以上上昇するという条件を含む。具体的には、時間特定部３５２は、平滑化が行われた血圧波形からピーク点（極大点）を検出し、ピーク点の時間よりも前の時間範囲で立ち上がり点を検出する。これにより、時間特定部３５２は、ピーク血圧値Ｖｐ、ピーク血圧値Ｖｐを示す時間Ｔｐ、立ち上がり血圧値Ｖｒ、及び立ち上がり血圧値Ｖｒを示す時間Ｔｒを得る。そして、時間特定部３５２は、時間Ｔｐから時間Ｔｒを引いた差ΔＴが所定の時間範囲（例えば５秒から２０秒の範囲）内にあり、ピーク血圧値Ｖｐから立ち上がり血圧値Ｖｒを引いた差ΔＶが所定の血圧値閾値（例えば１０ｍｍＨｇ）以上である場合に、急激な血圧上昇の発生を検出する。この例では、差ΔＴが５秒未満である場合には、ノイズなどの他の要因により生じた変動と判断される。時間特定部３５２は、例えば、立ち上がり血圧値を示す時間Ｔｒを急激な血圧上昇が発生した時間として特定する。他の例では、検出条件は、血圧値が閾値（例えば１５０ｍｍＨｇ）を超えるという条件であってもよい。生理的指標が血圧値以外のものである場合にも、上述したものと同様の条件を用いることができる。
【００７１】
位置特定部３５３は、位置データに基づいて、時間特定部３５２によって特定された時間にユーザが存在していた位置を特定する。位置データは、例えば、一定時間間隔（例えば１分間隔）で得られた座標（例えば緯度及び経度）を含む。この場合、位置特定部３５３は、位置データに基づいて、線形補間などの内挿により、時間特定部３５２によって特定された時間における座標を算出する。
【００７２】
注目領域決定部３５４は、位置特定部３５３によって特定された位置を含む局所領域を注目領域として決定する。例えば、注目領域決定部３５４は、位置特定部３５３によって特定された位置を中心とする半径５０ｃｍの円形領域を注目領域として決定する。
【００７３】
情報処理装置３０が扱うユーザデータは、複数のユーザに関するユーザデータを含み、各ユーザに関するユーザデータは、長期間にわたる観測により得られた血圧値データ及び位置データを含む。このため、多数の注目領域が決定される。注目領域決定部３５４は、少なくとも部分的に重複する注目領域を結合してもよい。
【００７４】
時間範囲決定部３５５は、時間特定部３５２によって特定された時間（例えば日付及び時刻）に基づいて、注意喚起のための通知を行なうための時間範囲を決定する。例えば、時間範囲決定部３５５は、時間特定部３５２によって特定された時刻を中心とする１時間を、通知を行なうための時間範囲として決定する。
【００７５】
注目領域情報記憶部３５８は、注目領域決定部３５４によって決定された注目領域と時間範囲決定部３５５によって決定された時間範囲とを互いに関連付けた注目領域情報を記憶する。
【００７６】
送信部３５６は、注目領域情報記憶部３５８から注目領域情報を読み出し、通信インタフェース３０４を介して、読み出した注目領域情報をユーザ端末ＵＴに送信する。
【００７７】
図８は、注目領域が設定された地図を模式的に例示する。図８では、×印がイベントが実際に発生した位置を表し、×印を囲む実線が注目領域の外周を表す。注目領域７０１は、イベントが発生した１つの位置に基づくものである。注目領域７０２は、イベントが発生した３つの位置に基づいて決定された注目領域を結合することにより得られたものである。
【００７８】
＜携帯端末＞
図９を参照して、本実施形態に係る携帯端末４０のソフトウェア構成の一例を説明する。図９は、本実施形態に係る携帯端末４０のソフトウェア構成の一例を例示する。図９の例では、携帯端末４０は、受信部４５１、位置検出部４５２、判定部４５３、通知部４５４、及び注目領域情報記憶部４５５を備える。受信部４５１、位置検出部４５２、判定部４５３、及び通知部４５４は、携帯端末４０の制御部４０１が記憶部４０２に記憶された注意喚起プログラムを実行することによって下記の処理を実行する。制御部４０１が注意喚起プログラムを実行する際は、制御部４０１は、注意喚起プログラムをＲＡＭに展開する。そして、制御部４０１は、ＲＡＭに展開された注意喚起プログラムをＣＰＵにより解釈及び実行して、各構成要素を制御する。注目領域情報記憶部４５５は、記憶部４０２に設けられる。
【００７９】
受信部４５１は、通信インタフェース３０４を通じて情報処理装置３０から注目領域情報を受信し、受信した注目領域情報を注目領域情報記憶部４５５に記憶させる。
【００８０】
位置検出部４５２は、携帯端末４０の位置、すなわち、携帯端末４０を携帯する対象ユーザの位置を検出する。具体的には、位置検出部４５２は、ＧＰＳ受信機４０７によって受信された複数のＧＰＳ信号に基づいて携帯端末４０の位置を算出する。なお、位置検出部４５２は、ＧＰＳ以外の衛星測位システム、例えば、ＧＬＯＮＡＳＳ（Global Navigation Satellite System）などを用いて携帯端末４０の位置を検出してもよい。また、位置検出部４５２は、衛星測位システムと屋内測位システムを併用して携帯端末４０の位置を検出してもよい。
【００８１】
判定部４５３は、位置検出部４５２によって検出された位置を示す情報を受け取るとともに、注目領域情報記憶部４５５から注目領域情報を読み出す。判定部４５３は、位置検出部４５２によって検出された位置に基づいて、対象ユーザが注目領域情報により示される注目領域内にいるか否かを判定する。再び図８を参照すると、破線矢印は対象ユーザの移動軌跡を表す。図８の例では、対象ユーザが注目領域７０２を通過する。判定部４５３は、位置検出部４５２によって検出された位置が注目領域７０２内であることを検出すると、対象ユーザが注目領域７０２内にいると判定する。判定部４５３は、対象ユーザが注目領域内に入ったことを示す信号を通知部４５４に送る。
【００８２】
通知部４５４は、対象ユーザが注目領域内に入ったことを示す信号を受け取ると、注意喚起のための通知を出力する。通知は、任意の方法、例えば、音、光、振動などにより実施することができる。通知部４５４は、携帯端末４０の表示装置にメッセージを表示してもよい。通知の出力は、血圧計５０上で通知が行なわれるようにするために、血圧計５０に注意喚起信号を送信することであってもよい。
【００８３】
＜血圧計＞
図１０を参照して、本実施形態に係る血圧計５０のソフトウェア構成の一例を説明する。図１０は、血圧計５０のソフトウェア構成の一例を例示する。図１０の例では、血圧計５０は、押圧制御部５５１、最適圧力センサ選択部５５２、血圧値算出部５５３、送信部５５４、及び血圧値データ記憶部５５５を備える。押圧制御部５５１、最適圧力センサ選択部５５２、及び血圧値算出部５５３は、血圧計５０の制御部５０１が記憶部５０２に記憶された血圧測定プログラムを実行することによって下記の処理を実行する。制御部５０１が血圧測定プログラムを実行する際は、制御部５０１は、血圧測定プログラムをＲＡＭに展開する。そして、制御部５０１は、ＲＡＭに展開された血圧測定プログラムをＣＰＵにより解釈及び実行して、各構成要素を制御する。血圧値データ記憶部５５５は、記憶部５０２に設けられる。
【００８４】
押圧制御部５５１は、押圧部５０７（図５）を制御する。具体的には、押圧制御部５５１は、ポンプ５０７Ｂの駆動および排気弁５０７Ｃの開閉を制御する。押圧制御部５５１は、空気袋５０７Ａへ空気を供給するために、ポンプ５０７Ｂを駆動するための駆動信号を押圧部５０７に与える。押圧制御部５５１は、空気袋５０７Ａから空気を排気するために、排気弁５０７Ｃを開くための駆動信号を押圧部５０７に与える。
【００８５】
最適圧力センサ選択部５５２は、センサ部５０６の圧力センサの中から最適圧力センサを選択する。センサ部５０６が押圧部５０７により手首に押圧されると、橈骨動脈に平坦な部分が生じる。橈骨動脈のこの平坦部分に位置する圧力センサによって検出される圧脈波は、橈骨動脈の壁の張力の影響がなく、振幅が最も大きくなる。また、この圧脈波は血圧値との相関が最も高い。このため、最適圧力センサ選択部５５２は、最大振幅の圧脈波を検出した圧力センサを最適圧力センサとして決定する。最適圧力センサ選択部５５２は、最適圧力センサとして選択した圧力センサを識別する識別情報を血圧値算出部５５３に与える。
【００８６】
血圧値算出部５５３は、最適圧力センサ選択部５５２から識別情報を受け取り、識別情報により示される最適圧力センサからの圧力信号に基づいて、血圧値を算出する。血圧値算出部５５３は、一心拍分の圧脈波の波形を抽出し、抽出した圧脈波の波形における最大値に基づいてＳＢＰを算出し、抽出した圧脈波の波形における最小値に基づいてＤＢＰを算出する。
【００８７】
血圧値データ記憶部５５５は、一心拍ごとの血圧値を含む血圧値データを記憶する。送信部５５４は、血圧値データ記憶部５５５から血圧値データを読み出し、通信インタフェース５０５を通じて携帯端末４０へ読み出した血圧値データを送信する。
【００８８】
＜その他＞
本実施形態では、情報処理装置３０、携帯端末４０及び血圧計５０の機能がいずれも汎用のＣＰＵによって実現される例について説明している。しかしながら、以上の機能の一部又は全部が１又は複数の専用のプロセッサにより実現されてもよい。
【００８９】
［動作例］
次に、以上のように構成された注意喚起システム２０の動作例を説明する。
【００９０】
まず、注目領域を決定する処理手順について説明する。  
図１１は、注目領域を決定する処理手順の一例を例示する。本実施形態では、図１１に示される処理は情報処理装置３０において実行される。
【００９１】
図１１のステップＳ１０１において、情報処理装置３０の制御部３０１は、ユーザデータ取得部３５１として動作し、１又は複数のユーザに関するユーザデータを取得する。各ユーザに関するユーザデータは、血圧値データ及び位置データを含む。以下のステップＳ１０２からステップＳ１０６までの処理は、個々のユーザデータに対して実行される。
【００９２】
ステップＳ１０２において、制御部３０１は、時間特定部３５２として動作し、ユーザデータに含まれる血圧値データに基づいて、所定の条件を満たす血圧値の変動が発生した時間を特定する。複数の時間が特定された場合には、以下のステップＳ１０３からステップＳ１０６までの処理は、特定された時間それぞれに対して実行される。
【００９３】
ステップＳ１０３において、制御部３０１は、位置特定部３５３として動作し、ユーザデータに含まれる位置データに基づいて、ステップＳ１０２において特定された時間にユーザが存在した位置を特定する。
【００９４】
ステップＳ１０４において、制御部３０１は、注目領域決定部３５４として動作し、ステップＳ１０３において特定された位置を含む局所領域を、注意喚起のための通知を行なうための注目領域として決定する。
【００９５】
ステップＳ１０５において、制御部３０１は、時間範囲決定部３５５として動作し、ステップＳ１０２において特定された時間に基づいて、注意喚起のための通知を行なうための時間範囲として決定する。ステップＳ１０４において決定された注目領域は、ステップＳ１０５において決定された時間範囲に関連付けられる。
【００９６】
ステップＳ１０６において、制御部３０１は、注目領域決定部３５４として動作し、ステップＳ１０４において決定された注目領域とステップＳ１０５において決定された時間範囲とを互いに関連付けて含む注目領域情報を、注目領域情報記憶部４５５に記憶させる。
【００９７】
このようにして、注意喚起を行なうための注目領域が決定される。なお、上述した処理手順は一例に過ぎず、ステップの順番及び内容は、可能な限り変更されてよい。例えば、ステップＳ１０５の処理は、ステップＳ１０３又はＳ１０４の処理の前に或いはステップＳ１０３又はＳ１０４の処理と並行して実行されてもよい。
【００９８】
次に、注意喚起を行なう処理手順について説明する。  
図１２は、注意喚起を行なう処理手順の一例を例示する。本実施形態では、図１２に示される処理は携帯端末４０において実行される。携帯端末４０は、情報処理装置３０から、図１１に関して上述したようにして生成された注目領域情報を受信する。
【００９９】
図１２のステップＳ２０１において、携帯端末４０の制御部４０１は、位置検出部４５２として動作し、携帯端末４０の位置をモニタする。ステップＳ２０２において、制御部４０１は、判定部４５３として動作し、携帯端末４０の位置が注目領域情報に示される注目領域内にあるか否かを判定する。携帯端末４０の位置が注目領域内にない場合には、ステップＳ２０１に戻り、携帯端末４０の位置が注目領域内にある場合には、ステップＳ２０３に進む。例えば、制御部４０１は、一定間隔（例えば３０秒間隔）でステップＳ２０１の位置検出及びステップＳ２０２の判定を実行し、携帯端末４０の位置が注目領域内にあると判定した場合にステップＳ２０３の通知を実行する。
【０１００】
ステップＳ２０３において、制御部４０１は、通知部４５４として動作し、対象ユーザがイベントの発生しやすい状況下にあることを対象ユーザに通知する。一例として、制御部４０１は、スピーカを通じて警告音を出力するとともに、対象ユーザがイベントの発生しやすい状況下にあること示すメッセージを表示装置に表示する。他の例では、制御部４０１は、注意喚起信号を血圧計５０に送信し、血圧計５０は、注意喚起信号を受けて、振動するとともに対象ユーザがイベントの発生しやすい状況下にあること示すメッセージを表示装置に表示する。
【０１０１】
なお、上述した処理手順は一例に過ぎず、ステップの順番及び内容は、可能な限り変更されてよい。
【０１０２】
［効果］
上述した実施形態では、ユーザに関する血圧値データに基づいてイベント（例えば急激な血圧上昇）が実際に発生した時間が特定され、位置データに基づいてこのユーザが特定された時間にいた位置が特定され、特定された位置及び時間に基づいてイベントの発生に関する注意喚起を行なうための注目領域及び時間範囲が決定される。そして、対象ユーザの位置がモニタされ、対象ユーザが時間範囲内の時刻に注目領域内に入ったときに注意喚起のための通知が出力される。これにより、対象ユーザがイベントの発生しやすい状況下にあることを対象ユーザに注意喚起することができる。
【０１０３】
注目領域の設定に使用されるユーザデータは、対象ユーザに関するユーザデータのみならず、他のユーザに関するユーザデータをも含む。これにより、対象ユーザが訪れたことがない場所にも注目領域が設定される。その結果、対象ユーザが初めて訪れる場所などにおいても注意喚起を行なうことが可能となる。
【０１０４】
［変形例］
なお、本発明は、上記実施形態に限定されるものではない。
【０１０５】
例えば、ユーザデータは、ユーザの属性を表す属性情報をさらに含んでいてもよい。属性は、例えば、年齢及び／又は性別である。この場合、情報処理装置３０は、属性に関連する属性グループごとに注目領域を決定してもよい。属性グループは、例えば、年代及び／又は性別により規定される。注目領域は属性グループに関連付けられる。これにより、携帯端末４０が、対象ユーザ（携帯端末４０を携帯するユーザ）と同じ属性グループに属するユーザに関するユーザデータに基づいて決定された注目領域を選択し、対象ユーザが選択した注目領域内に入ったときに通知を行なうことが可能となる。対象ユーザと同じ属性グループに属するユーザに関連する注目領域では、他の属性グループに属するユーザに関連する注目領域と比較して、対象ユーザにおいてイベントが発生する可能性が高い。したがって、イベントが発生する可能性がより高い場合に、対象ユーザに注意喚起することができる。すなわち、注意喚起の有効性が向上する。
【０１０６】
例えば、ユーザデータは、ユーザを識別するための識別情報をさらに含んでいてもよい。この場合、注目領域は識別情報に対応付けられる。携帯端末４０は、各注目領域が、対象ユーザに関連するものであるか、他のユーザに関連するものであるのかを識別することができる。これにより、対象ユーザの識別情報に関連付けられた注目領域と他のユーザの識別情報に関連付けられた注目領域とで注意喚起方法を変えることが可能となる。対象ユーザに関連する注目領域では、他のユーザに関連する注目領域と比較して、対象ユーザにおいてイベントが発生する可能性が高い。このため、対象ユーザが対象ユーザの識別情報に関連付けられた注目領域内に入ったときには、より明確な通知を発する（例えば音量をより大きくする）することで、通知の有効性を向上させることができる。
【０１０７】
例えば、情報処理装置３０の上述した機能は、各ユーザ端末ＵＴ内に備わっていてもよい。例えば、情報処理装置３０の上述した機能は、携帯端末４０内に備わっていてもよく、血圧計５０内に備わっていてもよい。携帯端末４０が情報処理装置３０の上述した機能を含む場合、典型的には、携帯端末４０は、血圧計５０から対象ユーザに関するユーザデータを取得するが、他のユーザ端末ＵＴ（具体的にはユーザ端末ＵＴ−２、ＵＴ−３）からユーザデータを取得しなくてもよい。
【０１０８】
例えば、各ユーザ端末ＵＴは、対象ユーザに関するユーザデータに基づいて注目領域情報を生成し、情報処理装置３０から他のユーザに関するユーザデータに基づいて生成された注目領域情報を受信してもよい。具体的には、ユーザ端末ＵＴ−１の携帯端末４０は、血圧計５０から受信したユーザデータに基づいて注目領域情報を生成し、さらに、情報処理装置３０から、ユーザ端末ＵＴ−２、ＵＴ−２のユーザに関するユーザデータに基づいて生成された注目領域情報を受信してもよい。
【０１０９】
要するに本発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。さらに、異なる実施形態に亘る構成要素を適宜組み合せてもよい。
【０１１０】
［付記］
本実施形態の一部または全部は、特許請求の範囲のほか以下の付記に示すように記載することも可能であるが、これに限定されない。  
（付記１）
ユーザの生理的指標に関する測定データである生理的指標データと、前記ユーザの位置に関する測定データである位置データと、を含むユーザデータを取得する取得部（１１１，３５１）と、
前記生理的指標データに基づいて、所定の条件を満たす前記生理的指標の変動が発生した時間を特定する時間特定部（１１２，３５２）と、
前記位置データに基づいて、前記特定された時間に前記ユーザが存在した位置を特定する位置特定部（１１３，３５３）と、
前記特定された位置を含む局所領域を、前記生理的指標の変動の発生に関する注意喚起を行なうための注目領域として決定する注目領域決定部（１１４，３５４）と、
を備える情報処理装置（１１，３０）。
【０１１１】
（付記２）
情報処理装置（１１，３０）と、前記情報処理装置（１１，３０）と通信可能なユーザ端末（１２，４０）と、を備える注意喚起システム（１０，２０）であって、
前記情報処理装置（１１，３０）は、
ユーザの生理的指標に関する測定データである生理的指標データと、前記ユーザの位置に関する測定データである位置データと、を含むユーザデータを取得する取得部（１１１，３５１）と、
前記生理的指標データに基づいて、所定の条件を満たす前記生理的指標の変動が発生した時間を特定する時間特定部（１１２，３５２）と、
前記位置データに基づいて、前記特定された時間に前記ユーザが存在した位置を特定する位置特定部（１１３，３５３）と、
前記特定された位置を含む局所領域を、前記生理的指標の変動の発生に関する注意喚起を行なうための注目領域として決定する注目領域決定部（１１４，３５４）と、
前記注目領域を表す注目領域情報を前記ユーザ端末（１２，４０）に送信する送信部（１１５，３５６）と、
を備え、
前記ユーザ端末（１２，４０）は、
前記情報処理装置（１１，３０）から前記注目領域情報を受信する受信部（１２１，４５１）と、
前記ユーザ端末（１２，４０）の位置を検出する検出部（１２２，４５２）と、
前記検出された位置が前記受信された注目領域情報によって表される前記注目領域内にあるか否かを判定する判定部（１２３，４５３）と、
前記検出された位置が前記注目領域内にあると判定されたことに応答して、前記注意喚起のための通知を出力する通知部（１２４，４５４）と、
を備える、注意喚起システム（１０，２０）。
【符号の説明】
【０１１２】
１０，２０…注意喚起システム、ＵＴ−１〜３…ユーザ端末、
１１…情報処理装置、１１１…ユーザデータ取得部、１１２…時間特定部、
１１３…位置特定部、１１４…注目領域決定部、１１５…送信部、
１２…ユーザ端末、１２１…受信部、１２２…位置検出部、１２３…判定部、
１２４…通知部、
３０…情報処理装置、３０１…制御部、３０２…記憶部、３０３…ドライブ、
３０４…通信インタフェース、３０５…外部インタフェース、
３５１…ユーザデータ取得部、３５２…時間特定部、３５３…位置特定部、
３５４…注目領域決定部、３５５…時間範囲決定部、３５６…送信部、
３５７…ユーザデータ記憶部、３５８…注目領域情報記憶部、
４０…携帯端末、４０１…制御部、４０２…記憶部、４０３…入力装置、
４０４…出力装置、４０５…通信インタフェース、４０６…外部インタフェース、
４０７…ＧＰＳ受信機、４０８…電池、４５１…受信部、４５２…位置検出部、
４５３…判定部、４５４…通知部、４５５…注目領域情報記憶部、
５０…血圧計、５０１…制御部、５０２…記憶部、５０３…入力装置、
５０４…出力装置、５０５…通信インタフェース、５０６…センサ部、
５０７…押圧部、５０７Ａ…空気袋、５０７Ｂ…ポンプ、５０７Ｃ…排気弁、
５０８…ＧＰＳ受信機、５０９…電池、５５１…押圧制御部、
５５２…最適圧力センサ選択部、５５３…血圧値算出部、５５４…送信部、
５５５…血圧値データ記憶部、
６０…携帯端末、７０…血圧計、８０…血圧計。
【図１】
2019117598.tif 000003
【図２】
2019117598.tif 000004
【図３】
2019117598.tif 000005
【図４】
2019117598.tif 000006
【図５】
2019117598.tif 000007
【図６】
2019117598.tif 000008
【図７】
2019117598.tif 000009
【図８】
2019117598.tif 000010
【図９】
2019117598.tif 000011
【図１０】
2019117598.tif 000012
【図１１】
2019117598.tif 000013
【図１２】
2019117598.tif 000014